(57)【要約】本発明で提案している基準領域を用いたローカルデバイスの制御サービスシステムによれば、ローカルデバイスの基準領域内に位置したユーザーデバイスから制御信号の入力を受けてローカルデバイスを制御することにより、別途のセンサーの設置または装置の登録を行うことなしにもユーザーデバイスを用いてローカルデバイスを制御することができる。
2021515329.tif 000002
【特許請求の範囲】
【請求項１】
ローカルデバイス（３００）に対する制御サービスをユーザーデバイス（２００）に提供する制御サービスシステムにおいて、
前記ユーザーデバイス（２００）から制御信号の入力を受け、前記ローカルデバイス（３００）を制御するサービス提供サーバー（１００）を含み、
前記サービス提供サーバー（１００）は、
前記ローカルデバイス（３００）に対して、前記ユーザーデバイス（２００）に提供する制御権限、及び前記ローカルデバイス（３００）の位置と独立した基準領域の入力を受けて格納するデータベースモジュール（１１０）と、
前記ユーザーデバイス（２００）の位置情報によって特定される位置が前記基準領域に含まれると、前記ユーザーデバイス（２００）に前記ローカルデバイス（３００）の制御イベントを提供するイベント提供モジュール（１２０）と、
前記ユーザーデバイス（２００）に提供された制御イベントが活性化されると、前記制御権限内で前記ユーザーデバイス（２００）から入力された制御信号に基づいて前記ローカルデバイス（３００）を制御する制御モジュール（１３０）と、を含み、
前記イベント提供モジュール（１２０）は、前記ユーザーデバイス（２００）にインストールされたアプリケーションまたはポップアップウィンドウを用いて前記制御イベントを提供し、
前記制御モジュール（１３０）は、前記ユーザーデバイス（２００）から前記制御イベントが選択されると、選択された制御イベントの活性化信号の入力を受けて前記制御イベントを活性化し、
前記制御モジュール（１３０）は、複数のユーザーデバイス（２００）の位置情報によって特定される位置が前記基準領域に含まれると、前記提供された制御イベントの活性化信号の入力を受けた順に、前記制御イベントを活性化することを特徴とする、基準領域を用いたローカルデバイス（３００）の制御サービスシステム。
【請求項２】
前記データベースモジュール（１１０）は、
一つのローカルデバイス（３００）に対して複数の基準領域の入力を受けて格納することを特徴とする、請求項１に記載の基準領域を用いたローカルデバイス（３００）の制御サービスシステム。
【請求項３】
前記ローカルデバイス（３００）の基準領域は、
前記ローカルデバイス（３００）の規模に応じて、前記ローカルデバイス（３００）からの距離及び広さが異なることを特徴とする、請求項１に記載の基準領域を用いたローカルデバイス（３００）の制御サービスシステム。
【請求項４】
前記イベント提供モジュール（１２０）は、
前記ローカルデバイス（３００）に対して活性化された制御イベントが存在しなければ、前記ユーザーデバイス（２００）に前記ローカルデバイス（３００）の制御イベントを提供することを特徴とする、請求項１に記載の基準領域を用いたローカルデバイス（３００）の制御サービスシステム。
【請求項５】
前記制御モジュール（１３０）は、
複数のユーザーデバイス（２００）の位置情報によって特定される位置が前記基準領域から外れると、前記ユーザーデバイス（２００）に対して活性化された制御イベントを不活性化することを特徴とする、請求項１に記載の基準領域を用いたローカルデバイス（３００）の制御サービスシステム。
【請求項６】
前記制御モジュール（１３０）は、
前記ユーザーデバイス（２００）にインストールされたアプリケーションを介して前記制御信号の入力を受け、前記ユーザーデバイス（２００）に前記アプリケーションがインストールされていなければ、前記アプリケーションのインストールリンクを提供することを特徴とする、請求項１に記載の基準領域を用いたローカルデバイス（３００）の制御サービスシステム。
【発明の詳細な説明】
【技術分野】
【０００１】
本発明は、ユーザーデバイスを用いてローカルデバイスを制御する制御サービスシステムに関し、より具体的には、基準領域を用いたローカルデバイスの制御サービスシステムに関する。
【背景技術】
【０００２】
デジタルサイネージ（Ｄｉｇｉｔａｌ  Ｓｉｇｎａｇｅ）とは、ポスター、案内表示、看板などの従来のアナログ看板のところを、デジタルディスプレイを活用して、各種の情報と広告を提供するデジタル掲示板を示すものであって、ネットワークに接続され、リモートでコンテンツを一度に制御することができ、注目性に優れて情報の伝達に優れるため、広告とコンテンツの提供に効果的であるという特徴がある。しかし、このようなデジタルサイネージは、単純にユーザーまたは不特定多数の人に見せようとするコンテンツを、単純に伝達するだけであり、コンテンツを見るユーザーの個人的な好みを考慮しておらず、提供するコンテンツの効果を大きく期待するのは難しいという問題点が生じた。
【０００３】
かかる問題点を克服するために、韓国特許第１０−１８３０１２７号（発明の名称：デジタルサイネージのインタラクション制御方法およびシステム、これを用いた記録媒体、登録日：２０１８年２月１２日）が提案されている。しかし、このような技術を利用しても、ユーザーは、広告に晒される受動的な役割を果たすこととなる。
【０００４】
一方、デジタル機器とカスタマイズ広告に馴染んだユーザーが増えるに伴い、ユーザーは、受動的広告の露出に無感覚になる傾向にあり、新しいデジタル機器を操作しようとする欲求が強くなり、イベントなどに前向きに参加する傾向がある。このような傾向に伴い、最近は、流動人口の多い地域に大型スクリーンやセンサーなどを一緒に設置し、ユーザーの姿を撮影してスクリーンに表示するか、或いはユーザーの動作に応じてディスプレイに変化が生じるように制御するという、様々な方式を用いて、ユーザーの関心を誘導することもある。しかし、このような技術は、高い設置費が要求されるだけでなく、ユーザーによる装置の直接制御は不可能であるという限界がある。
【０００５】
一方、ユーザーの位置情報を用いてデバイスを制御する技術に関連しては、韓国特許第１０−１６３８５８２号（発明の名称：位置情報基盤のデバイス制御装置、登録日：２０１６年７月５日）などが提案されている。しかし、このような従来の技術は、個人の周辺装置を制御するための技術であって、開放された公共のスペースに設置された装置に対して、多数のユーザーに制御サービスを提供するということはできない。
【０００６】
公共の場所に設置された、デジタルサイネージをはじめとする装置を、ユーザーが制御することができるようにすると、ユーザーの興味を誘発し、広告効果も極大化しうるが、前述した従来の技術では、このような効果を達成することができないという限界があるので、そのための技術の開発が求められる。
【発明の概要】
【発明が解決しようとする課題】
【０００７】
本発明は、従来提案された方法の上述した問題点を解決するためになされたもので、その目的は、ローカルデバイスの基準領域内に位置したユーザーデバイスから、制御信号の入力を受けてローカルデバイスを制御することにより、別途のセンサーの設置または装置の登録を行うことなしにも、ユーザーデバイスを用いてローカルデバイスを制御することができる、基準領域を用いたローカルデバイスの制御サービスシステムを提供することにある。
【０００８】
また、本発明の別の目的は、ローカルデバイスの位置と独立した基準領域を用いて、ユーザーデバイスに制御イベントを提供することにより、ローカルデバイスの特性に応じて設定された基準領域内にて、ユーザーデバイスにローカルデバイスに対する制御権限を提供することができるとともに、ユーザーデバイスが基準領域から外れると、制御イベントを不活性化して、諸々のユーザーデバイスにローカルデバイスの制御機会を提供することができる、基準領域を用いたローカルデバイスの制御サービスシステムを提供することにある。
【課題を解決するための手段】
【０００９】
上記の目的を達成するための本発明の態様に係る基準領域を用いたローカルデバイスの制御サービスシステムは、
ローカルデバイスに対する制御サービスをユーザーデバイスに提供する制御サービスシステムにおいて、
前記ユーザーデバイスから制御信号の入力を受け、前記ローカルデバイスを制御するサービス提供サーバーを含み、
前記サービス提供サーバーは、
前記ローカルデバイスに対して、前記ユーザーデバイスに提供する制御権限、及び前記ローカルデバイスの位置と独立した基準領域の入力を受けて格納するデータベースモジュールと、
前記ユーザーデバイスの位置情報によって特定される位置が前記基準領域に含まれると、前記ユーザーデバイスに前記ローカルデバイスの制御イベントを提供するイベント提供モジュールと、
前記ユーザーデバイスに提供された制御イベントが活性化されると、前記制御権限内で前記ユーザーデバイスから入力された制御信号に基づいて前記ローカルデバイスを制御する制御モジュールとを含むことを、その構成上の特徴とする。
【００１０】
好ましくは、前記データベースモジュールは、
一つのローカルデバイスに対して複数の基準領域の入力を受けて格納することができる。
【００１１】
好ましくは、前記ローカルデバイスの基準領域は、
前記ローカルデバイスの規模に応じて、前記ローカルデバイスからの距離及び広さが異なり得る。
【００１２】
好ましくは、前記イベント提供モジュールは、
前記ローカルデバイスに対して活性化された制御イベントが存在しなければ、前記ユーザーデバイスに前記ローカルデバイスの制御イベントを提供することができる。
【００１３】
好ましくは、前記イベント提供モジュールは、前記ユーザーデバイスにインストールされたアプリケーションまたはポップアップウィンドウを用いて前記制御イベントを提供し、
前記制御モジュールは、前記ユーザーデバイスから前記制御イベントが選択されると、選択された制御イベントの活性化信号の入力を受けて前記制御イベントを活性化することができる。
【００１４】
さらに好ましくは、前記制御モジュールは、
複数のユーザーデバイスの位置情報によって特定される位置が前記基準領域に含まれると、前記提供された制御イベントの活性化信号の入力を受けた順に、前記制御イベントを活性化することができる。
【００１５】
好ましくは、前記制御モジュールは、
前記ユーザーデバイスの位置情報によって特定される位置が前記基準領域から外れると、前記ユーザーデバイスに対して活性化された制御イベントを不活性化することができる。
【００１６】
好ましくは、前記制御モジュールは、
前記ユーザーデバイスにインストールされたアプリケーションを介して前記制御信号の入力を受け、前記ユーザーデバイスに前記アプリケーションがインストールされていなければ、前記アプリケーションのインストールリンクを提供することができる。
【発明の効果】
【００１７】
本発明で提案している基準領域を用いたローカルデバイスの制御サービスシステムによれば、ローカルデバイスの基準領域内に位置したユーザーデバイスから制御信号の入力を受けてローカルデバイスを制御することにより、別途のセンサーの設置または装置の登録を行うことなしにもユーザーデバイスを用いてローカルデバイスを制御することができる。
【００１８】
また、本発明によれば、ローカルデバイスの位置と独立した基準領域を用いて、ユーザーデバイスに制御イベントを提供することにより、ローカルデバイスの特性に応じて設定された基準領域内でユーザーデバイスにローカルデバイスに対する制御権限を提供することができ、ユーザーデバイスが基準領域から外れると、制御イベントを不活性化して複数のユーザーデバイスにローカルデバイスの制御機会を提供することができる。
【図面の簡単な説明】
【００１９】
【図１】本発明の一実施形態に係る、基準領域を用いたローカルデバイスの制御サービスシステムの構成を示す図である。
【図２】本発明の一実施形態に係る、基準領域を用いたローカルデバイスの制御サービスシステムにおける、サービス提供サーバーの詳細構成を示す図である。
【図３】本発明の一実施形態に係る、基準領域を用いたローカルデバイスの制御サービスシステムにおける、ローカルデバイスの基準領域の選択についての入力を受ける画面を例示する図である。
【図４】本発明の一実施形態に係る、基準領域を用いたローカルデバイスの制御サービスシステムにおける、複数の基準領域の選択についての入力を受ける画面を例示する図である。
【図５】本発明の一実施形態に係る基準領域を用いたローカルデバイスの制御サービスシステムにおける、ユーザーデバイスの位置移動による変化を例示する図である。
【図６】本発明の一実施形態に係る基準領域を用いたローカルデバイスの制御サービスシステムにおける、制御イベントの提供を受けたユーザーデバイスを例示する図である。
【発明を実施するための形態】
【００２０】
以下、添付図面を参照して、本発明の属する技術分野における通常の知識を有する者が本発明を容易に実施し得るように好適な実施形態を詳細に説明する。ただし、本発明の好適な実施形態を詳細に説明するにあたり、関連した公知の機能または構成についての具体的な説明が本発明の要旨を不明確にするおそれがあると判断された場合には、その詳細な説明を省略する。また、同様の機能及び作用をする部分については、図面全体にわたって同一または類似の符号を使用する。
【００２１】
また、明細書全体において、ある部分が他の部分に「連結」されているとするとき、これは「直接的に連結」されている場合だけでなく、それらの間に別の素子を挟んで「間接的に連結」されている場合も含む。また、ある構成要素を「含む」というのは、特別に反する記載がない限り、他の構成要素を除外するのではなく、他の構成要素をさらに含むことができるということを意味する。
【００２２】
図１は、本発明の一実施形態に係る基準領域を用いたローカルデバイス３００の制御サービスシステムの構成を示す図である。図１に示すように、本発明の一実施形態に係る基準領域を用いたローカルデバイス３００の制御サービスシステムは、ローカルデバイス３００に対する制御サービスをユーザーデバイス２００に提供する制御サービスシステムであって、サービス提供サーバー１００を含んで構成でき、ユーザーデバイス２００及びローカルデバイス３００をさらに含んで構成できる。
【００２３】
すなわち、本発明は、サービス提供サーバー１００が、ローカルデバイス３００の位置と独立した基準領域を用いて、ローカルデバイス３００の基準領域内に位置したユーザーデバイス２００から制御信号の入力を受けてローカルデバイス３００を制御することにより、別のセンサーの設置または装置の登録なしにユーザーデバイス２００を用いて簡便にローカルデバイス３００を制御することができる。以下では、本発明の一実施形態に係る基準領域を用いたローカルデバイス３００の制御サービスシステムの各構成要素について詳細に説明する。
【００２４】
サービス提供サーバー１００は、ユーザーデバイス２００から制御信号の入力を受けてローカルデバイス３００を制御することができる。ここで、サービス提供サーバー１００がローカルデバイス３００を制御するというのは、ユーザーデバイス２００から入力された制御信号を、ネットワークを介してローカルデバイス３００に送信し、ローカルデバイス３００が制御信号に基づいて作動するようにすることを意味することができる。
【００２５】
ユーザーデバイス２００は、ネットワークを介してサービス提供サーバー１００とデータを送受信することが可能なデバイスであり得る。ここで、ユーザーデバイス２００は、スマートフォン（Ｓｍａｒｔｐｈｏｎｅ）、タブレットＰＣ（Ｔａｂｌｅｔ  ＰＣ）及びウェアラブル（Ｗｅａｒａｂｌｅ）デバイスなどのモバイル機器を含むことができる。しかし、本発明のユーザーデバイス２００は、前述したデバイスの種類に限定されず、ネットワークを介してサービス提供サーバー１００とデータを送受信し、ＧＰＳや移動通信網、ＬＡＮなどによる位置情報を使用することが可能なデバイスであれば、その具体的な種類に関係なく、ユーザーデバイス２００に含まれ得る。
【００２６】
ローカルデバイス３００は、ネットワークを介してサービス提供サーバー１００とデータを送受信することが可能なデバイスであって、公共の場所に位置したデバイスであり得る。たとえば、ローカルデバイス３００は、公共の場所に設置されたデジタルサイネージまたはディスプレイ装置などのディスプレイを含む装置であってもよく、ロボットのように、ディスプレイを含むか否かに関係なく制御が可能な装置であってもよい。
【００２７】
本発明では、公共の場所に設置された或いは公共の場所に位置したローカルデバイス３００を、ユーザーが制御することができるようにすることにより、ユーザーの興味を誘発して積極的な参加を誘導することができ、これにより効果的なイベントまたは広告を行うことができる。特に、本発明では、設定された制御権限内で、ユーザーデバイス２００がローカルデバイス３００を制御することができるようにすることにより、制御権限を超えた制御は不可能となるようにして、安全な範囲でユーザーに操作の機会を提供することができる。たとえば、公共の場所に設置されたデジタルサイネージのディスプレイを、ユーザーが制御することができるようにするが、予め定められた広告が一緒に表示されるようにすることができる。また、新たにリリースされたゲームを公共の場所で大型ディスプレイを介してプレイすることができるようして、ゲームの広告を効果的に行うことができ、ユーザーデバイス２００を用いたロボット制御の体験イベントを行うこともできる。
【００２８】
一方、本発明において、ネットワークは、ローカルエリアネットワーク（Ｌｏｃａｌ  Ａｒｅａ  Ｎｅｔｗｏｒｋ；ＬＡＮ）、ワイドエリアネットワーク（Ｗｉｄｅ  Ａｒｅａ  Ｎｅｔｗｏｒｋ；ＷＡＮ）、または付加価値通信網（Ｖａｌｕｅ  Ａｄｄｅｄ  Ｎｅｔｗｏｒｋ；ＶＡＮ）などの有線ネットワーク、及び移動通信網（Ｍｏｂｉｌｅ  Ｒａｄｉｏ  Ｃｏｍｍｕｎｉｃａｔｉｏｎ  Ｎｅｔｗｏｒｋ）、衛星通信網、ＷＩＢＲＯ（Ｗｉｒｅｌｅｓｓ  Ｂｒｏａｄｂａｎｄ  Ｉｎｔｅｒｎｅｔ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）などの全ての種類の無線ネットワークを含むことができる。
【００２９】
図２は本発明の一実施形態に係る基準領域を用いたローカルデバイス３００の制御サービスシステムにおいて、サービス提供サーバー１００の詳細構成を示す図である。図２に示すように、本発明の一実施形態に係る基準領域を用いたローカルデバイス３００の制御サービスシステムのサービス提供サーバー１００は、データベースモジュール１１０、イベント提供モジュール１２０および制御モジュール１３０をさらに含んで構成されうる。
【００３０】
データベースモジュール１１０は、ローカルデバイス３００に対しての、ユーザーデバイス２００に提供する制御権限、およびローカルデバイス３００の位置と独立した基準領域の入力を受けて格納することができる。より具体的には、データベースモジュール１１０は、ローカルデバイス３００の管理者から入力された、ローカルデバイス３００に対する制御権限および基準領域を格納する役割を果たすことができる。ここで、制御権限は、ユーザーがローカルデバイス３００を制御することができるレベルを示すのでありうる。例えば、デジタルサイネージのディスプレイに表示される画像及び音に対する制御は含むが、表示されるテキストに対する制御は不可能にするなどというふうに制御権限を設定することができる。
【００３１】
また、ローカルデバイス３００の基準領域は、ローカルデバイス３００の管理者デバイス（図示せず）を介して設定でき、実際のローカルデバイス３００の物理的な位置と独立したものであってもよい。ローカルデバイス３００の基準領域は、ローカルデバイス３００を含むことができるが、含まなくてもよく、ローカルデバイス３００から遠く離れた地域に設定されてもよい。つまり、ローカルデバイス３００が「Ａ」領域にあるとしても、ローカルデバイス３００の基準領域を「Ｂ」領域に設定することができる。
【００３２】
図３は、本発明の一実施形態に係る、基準領域を用いたローカルデバイス３００の制御サービスシステムにおいて、ローカルデバイス３００の基準領域の選択についての入力を受ける画面を例示する図である。図３に示すように、本発明の一実施形態に係る、基準領域を用いたローカルデバイス３００の制御サービスシステムでは、サービス提供サーバー１００が、ローカルデバイス３００の管理者デバイスから、地図上にてローカルデバイス３００の基準領域の入力を受けることができる。この際、ローカルデバイス３００の位置を表示して、基準となるようにすることができる。例えば、ローカルデバイス３００の基準領域は、図３の水色円（斜線部）のようにローカルデバイス３００を含むことができ、桃色円（微細ドット部）のようにローカルデバイス３００を含まなくてもよい。実施形態によっては、基準領域の境界線にローカルデバイス３００が位置するように設定されてもよい。
【００３３】
また、データベースモジュール１１０は、一つのローカルデバイス３００に対して複数の基準領域の入力を受けて格納することができる。ローカルデバイス３００の基準領域は、ローカルデバイス３００の物理的な位置に従属せず、複数の領域に独立して設定できるので、ローカルデバイス３００の規模や位置などに応じて効果的な基準領域が設定されうる。特に、ローカルデバイス３００の基準領域は、ローカルデバイス３００の規模に応じて、ローカルデバイス３００からの距離及び広さが異なり得る。
【００３４】
図４は、本発明の一実施形態に係る、基準領域を用いたローカルデバイス３００の制御サービスシステムにおいて、複数の基準領域の選択について入力を受ける画面を例示する図である。図４に示すように、本発明の一実施形態に係る、基準領域を用いたローカルデバイス３００の制御サービスシステムでは、サービス提供サーバー１００が、一つのローカルデバイス３００に対して、複数の基準領域の入力を受けることができる。図４に示されている例のように、城山日出峰（Seongsan Ilchulbong；ソンサンイルチュルボン）に設置されたローカルデバイス３００が大型ディスプレイ装置であれば、城山日出峰の付近に桃色円（各斜線部）のような複数の基準領域を設定して、城山日出峰を登る過程中にローカルデバイス３００を制御することができるようにするか、或いは、城山日出峰に設置されたローカルデバイス３００を眺める角度に応じてローカルデバイス３００を制御可能にすることができる。
【００３５】
ただし、ローカルデバイス３００の基準領域は、ローカルデバイス３００の物理的な位置と独立しているので、ローカルデバイス３００の基準領域が、必ずしもローカルデバイス３００が視覚的に見える領域である必要はない。図４に示すような例において、城山日出峰に設置されたローカルデバイス３００についての基準領域が、ソウルの都心などに設定されることもありうる。
【００３６】
一方、基準領域の広さは、ローカルデバイス３００の規模に応じて異なり得るが、ローカルデバイス３００の規模が大きいほど、基準領域の広さが広いのでありうる。または、基準領域の広さは、手数料や広告費などによって決定されうるのであり、ローカルデバイス３００の人気度、またはローカルデバイス３００を介して行われるイベントの人気度を用いて、サービス提供サーバー１００によってそれ自体で決定されることもありうる。例えば、ローカルデバイス３００Ａの人気度が、ローカルデバイス３００Ｂの人気度よりも高い場合には、ローカルデバイス３００Ａの基準領域の広さが、ローカルデバイス３００Ｂの基準領域の広さに比べて、より広く決定されうる。この際、ローカルデバイス３００の人気度、またはローカルデバイス３００を介して行われるイベントの人気度は、当該ローカルデバイス３００またはイベントを、利用または体験したユーザーの数などによって決定されうる。しかし、基準領域の広さは、前述した実施形態によってのみ決定されるものではなく、さまざまな方法で決定されうる。
【００３７】
また、ローカルデバイス３００の基準領域は、多角形または円形であり得る。つまり、ローカルデバイス３００の基準領域は、様々な形状を持つことができるのであり、それぞれの基準領域は、互いに異なる形状の領域を持つことができる。本発明の一実施形態に係る基準領域を用いたローカルデバイス３００の制御サービスシステムでは、基準領域内に位置したユーザーデバイス２００に、ローカルデバイス３００の制御権限を付与するので、基準領域の形状によってもユーザーデバイス２００の制御の有無が変わり得る。つまり、特定の位置を含む形状に基準領域を設定する場合には、基準領域の広さが広くなくても、当該特定の位置にて、ユーザーデバイス２００にローカルデバイス３００の制御権限を付与することができる。よって、単純に位置を考慮せずに基準領域の広さを広く設定することよりも、基準領域の形状を多角形または円形に、必要に応じて設定することにより、ローカルデバイス３００の管理者は、特定の位置にて、ユーザーに、より効率よくローカルデバイス３００の制御権限を提供することができる。
【００３８】
イベント提供モジュール１２０は、ユーザーデバイス２００の位置情報によって特定される位置が、基準領域に含まれると、ユーザーデバイス２００にローカルデバイス３００の制御イベントを提供することができる。ここで、制御イベントは、ユーザーデバイス２００とローカルデバイス３００とを連動するためのものであって、制御イベントが活性化されると、ユーザーデバイス２００でもってローカルデバイス３００を制御することができ、制御イベントが不活性化されると、当該ユーザーデバイス２００でもってローカルデバイス３００を制御することができない。
【００３９】
図５は、本発明の一実施形態に係る基準領域を用いたローカルデバイス３００の制御サービスシステムにおいて、ユーザーデバイス２００の位置移動による変化を例示する図である。図５に示すように、本発明の一実施形態に係る基準領域を用いたローカルデバイス３００の制御サービスシステムにおいて、ユーザーデバイス２００の位置情報によって特定される位置が、ＸからＸ１に変化するのに伴い、ユーザーは、ローカルデバイス３００Ａの基準領域Ａに進入するのであり、イベント提供モジュール１２０は、基準領域Ａ内にて、ローカルデバイス３００Ａに対する制御イベントをユーザーデバイス２００に提供することができる。ユーザーデバイス２００の位置情報によって特定される位置が、Ｘ１からＸ２に変化すると、基準領域Ａから外れるので、ローカルデバイス３００Ａに対する制御イベントは不活性化されるのであり、基準領域Ｂに進入すると、ローカルデバイス３００Ｂに対する制御イベントを、イベント提供モジュール１２０がユーザーデバイス２００に提供することができる。
【００４０】
一方、イベント提供モジュール１２０は、ローカルデバイス３００に対して活性化された制御イベントが存在しなければ、ユーザーデバイス２００に、ローカルデバイス３００の制御イベントを提供することができる。つまり、ローカルデバイス３００に対して活性化された制御イベントが存在しなければ、当該ローカルデバイス３００が既に他のユーザーデバイス２００によって制御されている状態なので、イベント提供モジュール１２０は、基準領域に新たに進入したユーザーデバイス２００に制御イベントを提供しなくてもよい。図５に示すような例において、基準領域Ａ内に他のユーザーデバイス２００が位置して制御イベントを活性化し、ローカルデバイス３００Ａを制御している場合には、Ｘ１に位置したユーザーデバイス２００には、ローカルデバイス３００Ａに対する制御イベントが提供されなくてもよい。
【００４１】
また、イベント提供モジュール１２０は、ユーザーデバイス２００にインストールされたアプリケーションまたはポップアップウィンドウを用いて制御イベントを提供することができる。ここで、ユーザーデバイス２００にインストールされたアプリケーションは、位置情報を活用して広告やイベント情報の提供を受けるためのアプリケーションであり得るが、本発明の制御イベントの提供を受けることができれば、具体的な機能や形態に関係なく、本発明のアプリケーションの役割を果たすことができる。
【００４２】
図６は、本発明の一実施形態に係る基準領域を用いたローカルデバイス３００の制御サービスシステムにおいて、制御イベントの提供を受けたユーザーデバイス２００を例示する図である。本発明の一実施形態に係る基準領域を用いたローカルデバイス３００の制御サービスシステムでは、イベント提供モジュール１２０が、図６の（ａ）に示すようにアプリケーションを利用して制御イベントを提供するか、或いは図６の（ｂ）に示すようにポップアップウィンドウを用いて制御イベントを提供することができる。
【００４３】
制御モジュール１３０は、ユーザーデバイス２００に提供された制御イベントが活性化されると、制御権限内でユーザーデバイス２００から入力された制御信号に基づいてローカルデバイス３００を制御することができる。より具体的には、制御モジュール１３０は、ユーザーデバイス２００から制御イベントが選択されると、選択された制御イベントの活性化信号の入力を受けて制御イベントを活性化することができる。すなわち、図６の（ａ）における「ローカルデバイスの制御イベント！」をクリックまたはタッチするか、或いは図６の（ｂ）における「制御イベントショートカット」メニューをクリックまたはタッチすることにより、ユーザーが制御イベントを選択して活性化されると、ユーザーデバイス２００でローカルデバイス３００を制御することができる。
【００４４】
また、制御モジュール１３０は、複数のユーザーデバイス２００の位置情報によって特定される位置が基準領域に含まれると、提供された制御イベントの活性化信号の入力を受けた順に、制御イベントを活性化することができる。つまり、複数のユーザーがローカルデバイス３００の基準領域に進入した場合には、先に活性化信号を入力したユーザーに、当該ローカルデバイス３００の制御権限を付与することができる。
【００４５】
ローカルデバイス３００に対する制御イベントが活性化されると、ユーザーデバイス２００は、データベースモジュール１１０に格納された制御権限内でローカルデバイス３００を制御することができる。ここで、制御信号は、ローカルデバイス３００のディスプレイ、および、ローカルデバイス３００でプレイされるゲームを含む群から選択されたいずれか一つを制御する信号であり得る。たとえば、ユーザーデバイス２００は、ローカルデバイス３００のディスプレイ画面に出力される、映像、写真、テキストなどを選択するか或いは直接入力することができ、ユーザーデバイス２００に備えられたカメラを利用して撮影された映像を入力することもできる。また、ユーザーデバイス２００をコントローラとして用いて、ローカルデバイス３００でプレイされるゲームを、プレイすることができる。実施形態によっては、ユーザーデバイス２００でもって、ロボットなどのローカルデバイス３００に制御信号を入力して作動させることもできる。ただし、ローカルデバイス３００の管理者が予め設定した制御権限から外れた範囲では、ユーザーデバイス２００による制御が不可能である。
【００４６】
また、制御モジュール１３０は、ユーザーデバイス２００にインストールされたアプリケーションを介して制御信号の入力を受けるのであり、ユーザーデバイス２００にアプリケーションがインストールされていなければ、アプリケーションのインストールリンクを提供することができる。つまり、ユーザーデバイス２００にアプリケーションのインストールを誘導することにより、制御信号の入力及びローカルデバイス３００に対する制御がスムーズに行われるようにすることができる。
【００４７】
一方、制御モジュール１３０は、ユーザーデバイス２００の位置情報によって特定される位置が基準領域から外れると、ユーザーデバイス２００に対して活性化された制御イベントを不活性化することができる。つまり、ユーザーが基準領域内に位置しているときに限り、ローカルデバイス３００を制御することができるようにし、基準領域から外れると、ローカルデバイス３００に対する制御を行うことができないようにすることができる。ユーザーデバイス２００で活性化された制御イベントが不活性化されると、イベント提供モジュール１２０は、基準領域内にある他のユーザーデバイス２００に制御イベントを提供することにより、様々なユーザーにローカルデバイス３００を制御する機会を提供することができる。
【００４８】
本発明で提案している、基準領域を用いたローカルデバイス３００の制御サービスシステムによれば、ローカルデバイス３００の基準領域内に位置したユーザーデバイス２００から制御信号の入力を受けてローカルデバイス３００を制御することにより、別のセンサーの設置または装置の登録なしにユーザーデバイス２００を用いてローカルデバイス３００を制御することができる。また、本発明によれば、ローカルデバイス３００の位置と独立した基準領域を用いてユーザーデバイス２００に制御イベントを提供することにより、ローカルデバイス３００の特性に応じて設定された基準領域内にて、ユーザーデバイス２００にローカルデバイス３００に対する制御権限を提供することができ、ユーザーデバイス２００が基準領域から外れると、制御イベントを不活性化して一時的にローカルデバイス３００を制御するようにすることができる。
【００４９】
以上説明した本発明は、本発明の属する技術分野における通常の知識を有する者によって様々な変形や応用が可能であり、本発明に係る技術的思想の範囲は、以下の特許請求の範囲によって定められるべきである。
【符号の説明】
【００５０】
Ｘ、Ｘ１、Ｘ２    ユーザーデバイスの位置情報によって特定される位置
１００    サービス提供サーバー
１１０    データベースモジュール
１２０    イベント提供モジュール
１３０    制御モジュール
２００    ユーザーデバイス
３００    ローカルデバイス
【図１】
2021515329.tif 000003
【図２】
2021515329.tif 000004
【図３】
2021515329.tif 000005
【図４】
2021515329.tif 000006
【図５】
2021515329.tif 000007
【図６】
2021515329.tif 000008
【国際調査報告】
2021515329.tif 000009
2021515329.tif 000010
2021515329.tif 000011
2021515329.tif 000012